(57)【要約】【課題】  本発明はゴルフクラブヘッドに関し、複数の部材を接合してバック部に凹部を設けるゴルフクラブヘッドに改良を加え、凹部内の外観向上を図ったゴルフクラブヘッドを提供することを目的とする。【解決手段】  請求項１に係る発明は、前面部材と背面部材を接合してバック部に凹部を設けたキャビティバックのヘッドに於て、前記前面部材と背面部材との接合部を、ヘッドの外殻に沿って両部材が固着する固定部と、当該固定部の内方に位置して前面部材と背面部材が当接する当接部とで構成すると共に、前記背面部材に、凹部内の前面部材と背面部材の接合部境界を覆う突出部を設けたことを特徴とする。  そして、請求項２に係る発明は、請求項１に記載のヘッドに於て、前記突出部は、前記当接部に隣接して設けられていることを特徴とする。【選択図】    図６
2008054985.tif 000002
【特許請求の範囲】
【請求項１】
前面部材と背面部材を接合してバック部に凹部を設けたキャビティバックのゴルフクラブヘッドに於て、
前記前面部材と背面部材との接合部を、ゴルフクラブヘッドの外殻に沿って両部材が固着する固定部と、当該固定部の内方に位置して前面部材と背面部材が当接する当接部とで構成すると共に、
前記背面部材に、凹部内の前面部材と背面部材の接合部境界を覆う突出部を設けたことを特徴とするゴルフクラブヘッド。
【請求項２】
前記突出部は、前記当接部に隣接して設けられていることを特徴とする請求項１に記載のゴルフクラブヘッド。
【請求項３】
前記固定部は、ゴルフクラブヘッドの外殻に沿って前面部材と背面部材の境界部分に形成した開先部と、当該開先部に溶接材を溶け込ませて前面部材と背面部材を一体化する溶接ビードとからなることを特徴とする請求項１または請求項２に記載のゴルフクラブヘッド。
【発明の詳細な説明】
【技術分野】
【０００１】
本発明はゴルフクラブヘッドに係り、詳しくは複数の部材を接合して構成されたゴルフクラブヘッドに関する。
【背景技術】
【０００２】
近年、アイアンのゴルフクラブヘッド（以下、「ヘッド」という）では、打球の方向性の安定及びスイートエリアの拡大を意図して、ヘッドのバック部（背面部）に凹部（バック部に開口する中空部）を設けた所謂キャビティバックのヘッドが広く知られている。
そして、この種のヘッドの設計自由度を確保するため、例えばフェース部材とキャビティバックを形成する背面部材等の複数の部材を形成して、これらを溶接等で接合する方法が定着している。
【０００３】
図１２は特許文献１に開示されたアイアンのヘッドを示し、このヘッド１は、フェース部３を備えたフェース部材５と背面部材７とを溶接で接合して、ヘッド１のバック部９に凹部１１を設けたキャビティバック構造となっている。
そして、フェース部材５と背面部材７の接合強度を確保するため、フェース部材５と背面部材７の接合部に開先部１３を設けると共に、接合部の少なくとも一部に、前記開先部１３よりも深さと最大幅を大とした大開先部１５を形成し、開先部１３と大開先部１５に溶接材を溶け込ませてこれらを一体化した構造となっている。
【０００４】
而して、斯かるヘッド１によれば、フェース部材５と背面部材７の接合強度を確保することができるため、打球時に生じる接合部の部材５，７同士の隙間の干渉からの振動を防止し、耐久性と共に良好な打球音，打感が得られることとなる。
また、特許文献２には、フェース部材と背面部材とを溶接で接合して、バック部に凹部を有するキャビティバックのヘッドを構成するに当たり、溶接ビードの浸潤によって接合強度の向上を図ると共に、フェース部材と背面部材のソール側の接触面の凹部内にビード溜り用凹部を設けて、溶接ビードの浸潤による外観不良を改善したヘッドが開示されている。
【特許文献１】特開２００４−２０２０４４号公報
【特許文献２】特開２００２−３６９８９９号公報
【発明の開示】
【発明が解決しようとする課題】
【０００５】
しかし乍ら、図１２のヘッド１を始め、複数の部材を突き合わせて接合するこの種のゴルフクラブヘッドにあっては、その構造上、接合部境界が生じるが、製造ばらつき等によって凹部１１内のフェース部材５と背面部材７の接合部境界の隙間が大きくなってしまうと、隙間が外部より視認されてユーザに接合強度が弱い印象を与えてしまい、また、外観上も好ましくなかった。
【０００６】
一方、特許文献２のヘッドにあっては、凹部内にビード溜り用凹部を設けても、凹部開口から溶接ビードが視認されてしまう虞があり、また、凹部内は研磨が困難であることもあって、溶接ビードが視認されてしまうと見栄えが悪くなってしまう不具合があった。
而も、斯様に溶接ビードを浸潤させる構造にあっては、溶接ビードの浸潤量や浸潤箇所がヘッド毎に異なると、ヘッド毎に重量バランスが異なり、また、設計したヘッド自体の重量バランスが崩れてしまう虞もあった。
【０００７】
本発明は斯かる実情に鑑み案出されたもので、上述の如き複数の部材を接合してバック部に凹部を設けるヘッドに改良を加え、凹部内の外観向上を図ったヘッドを提供することを目的とする。
【課題を解決するための手段】
【０００８】
斯かる目的を達成するため、請求項１に係る発明は、前面部材と背面部材を接合してバック部に凹部を設けたキャビティバックのヘッドに於て、前記前面部材と背面部材との接合部を、ヘッドの外殻に沿って両部材が固着する固定部と、当該固定部の内方に位置して前面部材と背面部材が当接する当接部とで構成すると共に、前記背面部材に、凹部内の前面部材と背面部材の接合部境界を覆う突出部を設けたことを特徴とする。
【０００９】
そして、請求項２に係る発明は、請求項１に記載のヘッドに於て、前記突出部は、前記当接部に隣接して設けられていることを特徴とし、請求項３に係る発明は、請求項１または請求項２に記載のヘッドに於て、前記固定部は、ヘッドの外殻に沿って前面部材と背面部材の境界部分に形成した開先部と、当該開先部に溶接材を溶け込ませて前面部材と背面部材を一体化する溶接ビードとからなることを特徴とする。
【発明の効果】
【００１０】
各請求項に係る発明によれば、当接部を固定部の内方に設けたため、凹部内への溶接ビード等の浸潤が防止でき、この結果、重量バランスが崩れることなく設計に応じた安定したゴルフクラブヘッドを製造することができる。
そして、背面部材に設けた突出部が、凹部内の前面部材と背面部材の接合部境界を覆い、仮に凹部内へ溶接ビード等が浸潤しても、突出部が溶接ビードを覆って外部から視認できなくするため、従来に比し外観が向上することとなった。
【００１１】
また、請求項２に係る発明によれば、当接部に隣接して突出部を設けたため、前面部材と背面部材の接合時に、突出部に当接部の端部を接触させた位置決めができることとなって接合精度が向上し、この結果、所望のゴルフクラブヘッドを製造することができ、製造も容易となる。
【発明を実施するための最良の形態】
【００１２】
以下、本発明の実施形態を図面に基づいて詳細に説明する。
図１は請求項１乃至請求項３の一実施形態に係るヘッドを装着したアイアンのゴルフクラブを示し、繊維強化樹脂や金属で形成されたシャフト２１の先端にヘッド２３が取り付き、シャフト２１の後端側にグリップ２５が取り付いてアイアンのゴルフクラブ２７が形成されている。そして、周知のようにゴルフクラブ２７のライ角αはシャフト軸線Ｓにより定められ、ヘッド２３が規定のライ角，ロフト角で設定されたときに、ソール部２９に接する基準水平面Ｐが設定される。
【００１３】
図２はヘッド２３の正面図を示し、図中、３１はホーゼル部３３やトップ部３５，ソール部２９，フェース部３７等がチタンやステンレス等の合金で一体に鋳造されたヘッド本体（前面部材）で、図２及び図５，図６に示すようにフェース部３７に、その外形形状に沿ってフェース側開口部３９が開口し、その周縁部に沿って受け部（段部）４１が設けられている。
【００１４】
そして、前記受け部４１に、チタンやステンレス等の合金を鍛造した薄肉な平板状のフェースプレート４３が係合して、受け部４１との接合部がレーザー溶接されており、フェースプレート４３はヘッド本体３１のフェース部３７と面一となってヘッド２３のフェース部（打球面）４５を構成している。
尚、ヘッド本体３１とフェースプレート４３の取付けは、溶接の他、その他の周知の手段を用いてもよい。
【００１５】
そして、ヘッド本体３１の背面側に背面部材４７が一体的に接合して、本実施形態に係るヘッド２３が形成されている。
図３及び図５に示すように背面部材４７は、ヘッド本体３１に比し比重の大きいタングステン合金や銅合金等の金属材料を用いてヘッド本体３１の周辺形状に沿って形成され、略中央にバック側開口部４９が開口したリング形状をなしている。
【００１６】
そして、図６乃至図８に示すように前記背面部材４７がヘッド本体３１の背面側に接合して、ヘッド２３のバック部５１に、前記バック側開口部４９を介して凹部（バック部５１に開口する中空部）５３が開口するキャビティバック構造となっており、背面部材４７の内側面は、そのトゥ側からヒール側に亘ってソール側がヘッド本体３１に向けて斜め下方に傾斜するように形成されて、凹部５３はヘッド本体３１の内側面と共に、ヘッド２３のバック部５１からソール側にかけて凹状にえぐれた所謂アンダーカット凹部となっている。
【００１７】
このように、ヘッド本体３１に比し比重の大きなリング状の背面部材４７をヘッド本体３１の背面側に接合してヘッド２３を形成すると、ヘッド２３の重量が周辺部にシフトするため、ヘッド２３全体の慣性モーメントが大きくなって打球の方向性が安定する。
次に、ヘッド本体３１と背面部材４７の接合構造について説明すると、図６乃至図８に示すように、ヘッド本体３１と背面部材４７の接合部は、ヘッド２３の外殻に沿ってヘッド本体３１と背面部材４７が固着する固定部５５と、当該固定部５５の内方に位置してヘッド本体３１と背面部材４７が当接する当接部５７とで構成されている。
【００１８】
而して、前記固定部５５は、ヘッド２３の外殻に沿ってヘッド本体３１と背面部材４７の境界部分を夫々または一方を面取りして、その横断面図がヘッド２３の外表面に向かって広がるように形成した開先部５９ａ，５９ｂと、当該開先部５９ａ，５９ｂに溶接材を溶け込ませてヘッド本体３１と背面部材４７を一体化した溶接ビード６１で構成されており、溶接ビード６１は、ヘッド本体３１と背面部材４７の外側に沿って研磨される。
【００１９】
そして、固定部５５の内方に、当該固定部５５の深さに比し同等程度（好ましくは２倍程度）の幅（深さ）でヘッド本体３１と背面部材４７が当接する当接部５７が設けられており、斯様に強度を維持する固定部５５の深さを設定する場合、当接部５７の深さが大きすぎるとヘッドの重量が増大して設計自由度がなくなり、小さすぎるとビードが浸潤する。而して、斯様に幅広な当接部５７を固定部５５の内方に設けることで、凹部５３内への溶接ビード６１の浸潤を防止している。
【００２０】
更に、本実施形態は、斯様に幅広な当接部５７を固定部５５の内方に設けて凹部５３内への溶接ビード６１の浸潤防止を図った構成に加え、背面部材４７に、凹部５３内のヘッド本体３１と背面部材４７の接合部境界６３を覆う突出部６５を、前記当接部５７に隣接して設けたことを特徴とする。
図５乃至図９に示すように突出部６５は、背面部材４７のトゥ側からヒール側に亘ってソール側に例えば１〜２ミリ程の寸法ｔを以って、ヘッド本体３１の内側面に沿ってフェース部３７方向へ突設した突片からなり、突出部６５は、ヘッド本体３１のトップ部３５方向へ順次幅狭に形成されている。
【００２１】
そして、突出部６５は当接部５７に隣接して設けられているから、ヘッド本体３１と背面部材４７の接合時に、突出部６５に当接部５７端部を接触させた位置決めができると共に、当該突出部６５が、凹部５３内のヘッド本体３１と背面部材４７の接合部境界６３を覆って、接合部境界６３の隙間を外部から視認することができないようになっている。
その他、図４及び図５に於て、６７はヘッド本体３１のソール部２９に突設した凸部、６９は当該凸部６７に対応して背面部材４７の底部に設けた凹部で、凸部６７はヘッド本体３１のトゥ，ヒール方向の略中央に設けられており、斯様に凸部６７をトゥ，ヒール方向の略中央に設けることで、トゥ，ヒール側に重量が配分されて左右の慣性モーメントが大きくなる。また、凸部及び凹部をトゥ，ヒール側やどちらか一方に形成して、打球時のヘッドの挙動を調節してもよい。
【００２２】
また、図７に示すように前記当接部５７のヘッド本体３１と背面部材４７の当接面は、基準水平面Ｐに対する鉛直断面Ｑに於て、少なくともトップ，ソール，トゥで平行となるように構成されており、斯かる構造によって、ヘッド本体３１と背面部材４７の接合時に両者をスライドさせて製造バラ付きを調整できるようになっている。
本実施形態に係るヘッド２３はこのように構成されており、ヘッド本体３１に比し比重の大きなリング状の背面部材４７をヘッド本体３１の背面側に接合してヘッド２３を形成した構造上、ヘッド２３の重量が周辺部にシフトし、この結果、ヘッド２３全体の慣性モーメントが大きくなって打球の方向性が安定する。
【００２３】
また、既述したように当接部５７に隣接して突出部６５を設けた構造上、ヘッド本体３１と背面部材４７の接合時に、突出部６５に当接部５７の端部を接触させた位置決めができると共に、幅広な当接部５７を固定部５５の内方に設けたことで、凹部５３内への溶接ビード６１の浸潤が防止されることとなる。
更にまた、既述したように、当接部５７のヘッド本体３１と背面部材４７の当接面が、基準水平面Ｐに対する鉛直断面Ｑに於て、少なくともトップ，ソール，トゥで平行となるように構成されているため、ヘッド本体３１と背面部材４７の接合時に両者をスライドさせて製造バラ付きを調整できることとなる。
【００２４】
そして、背面部材４７に設けた突出部６５が、凹部５３内のヘッド本体３１と背面部材４７の接合部境界６３を覆い、また、仮に凹部５３内へ溶接ビード６１が浸潤しても、突出部６５が溶接ビード６１を覆って外部から視認できなくする。
このように本実施形態によれば、
[1]当接部５７に隣接して突出部６５を設けたため、ヘッド本体３１と背面部材４７の接合時に、突出部６５に当接部５７の端部を接触させた位置決めができることとなって接合精度が向上し、この結果、所望のヘッド２３を製造することができ、また、製造も容易となった。
【００２５】
[2]幅広な当接部５７を固定部５５の内方に設けたため、凹部５３内への溶接ビード６１の浸潤が防止でき、この結果、重量バランスが崩れることなく設計に応じた安定したヘッド２３を製造することができる。
[3]背面部材４７に設けた突出部６５が、凹部５３内のヘッド本体３１と背面部材４７の接合部境界６３を覆い、仮に凹部５３内へ溶接ビード６１が浸潤しても、突出部６５が溶接ビード６１を覆って外部から視認できなくするため、従来に比し外観が向上することとなった。
【００２６】
図９乃至図１１は請求項１及び請求項３の一実施形態に係るヘッドを示し、図中、７１はホーゼル部７３やトップ部７５，ソール部７７，フェース部７９等がチタン，ステンレス等の合金や炭素鋼で一体に鋳造されたヘッド本体（前面部材）で、フェースプレート４３を装着した図２のヘッド本体３１に代え、本実施形態のヘッド本体７１は、フェース部７９全体をヘッド本体７１に一体成形した構造となっている。
【００２７】
そして、ヘッド本体７１の背面側に背面部材８１が一体的に接合して、本実施形態に係るヘッド８３が形成され、ホーゼル部７３にシャフト２１が挿着されてアイアンのゴルフクラブ８５が形成されている。
図１０及び図１１に示すように本実施形態の背面部材８１も、ヘッド本体７１に比し比重の大きいタングステン合金や銅合金等の金属材料を用いてヘッド本体７１の周辺形状に沿って形成され、略中央にバック側開口部８７が開口したリング形状をなしている。
【００２８】
そして、前記背面部材８１がヘッド本体７１の背面側に接合して、ヘッド８３のバック部８９に、前記バック側開口部８７を介して凹部（バック部８９に開口する中空部）９１が開口するキャビティバック構造となっており、本実施形態も背面部材８１の内側面は、そのトゥ側からヒール側に亘ってソール側がヘッド本体７１に向けて斜め下方に傾斜するように形成されて、凹部９１はヘッド本体７１の内側面と共に、ヘッド８３のバック部８９からソール側にかけて凹状にえぐれたアンダーカット凹部となっている。
【００２９】
次に、ヘッド本体７１と背面部材８１の接合構造について説明すると、図１０に示すように、本実施形態に於ても、ヘッド本体７１と背面部材８１の接合部は、ヘッド８３の外殻に沿ってヘッド本体７１と背面部材８１が固着する固定部９３と、当該固定部９３の内方に位置してヘッド本体７１と背面部材８１が当接する当接部９５とで構成されている。
而して、前記固定部９３は、ヘッド８３の外殻に沿ってヘッド本体７１と背面部材８１の境界部分を夫々または一方を面取りして、その横断面図がヘッド８３の外表面に向かって広がるように形成した開先部９７ａ，９７ｂと、当該開先部９７ａ，９７ｂに溶接材を溶け込ませてヘッド本体７１と背面部材８１を一体化した溶接ビード９９で構成されている。そして、固定部９３の内方に、当該固定部９３の深さに比し同等程度の幅（深さ）でヘッド本体７１と背面部材８１が当接する当接部９５が設けられており、斯様に幅広な当接部９５を固定部９３の内方に設けることで、凹部９１内への溶接ビード９９の浸潤を防止している。
【００３０】
そして、既述した実施形態と同様、更に本実施形態に於ても、幅広な当接部９５を固定部９３の内方に設けて凹部９１内への溶接ビード９９の浸潤防止を図った構成に加え、背面部材８１に、凹部９１内のヘッド本体７１と背面部材８１の接合部境界１０１を覆う突出部１０３を設けたものである。
而して、図１０及び図１１に示すように突出部１０３は、前記接合部境界１０１の全周を覆うようにバック側開口部８７に沿って背面部材８１の全周に亘って突設されているが、図６の突出部６５と異なり、本実施形態の突出部１０３は必ずしも当接部９５に隣接せず、当接部９５との間に隙間１０５が空くように突出部１０３の外周径をヘッド本体７１のバック側周辺部の内周径より小さく設定されている。
【００３１】
尚、本実施形態も、図１０に示すように当接部９５のヘッド本体７１と背面部材８１の当接面は、基準水平面Ｐに対する鉛直断面Ｑに於て、少なくともトップ，ソール，トゥで平行となるように構成されており、斯かる構造によって、ヘッド本体７１と背面部材８１の接合時に両者をスライドさせて製造バラ付きを調整できるようになっている。
本実施形態に係るヘッド８３はこのように構成されているから、ヘッド本体７１に比し比重の大きなリング状の背面部材８１をヘッド本体７１の背面側に接合してヘッド８３を形成した構造上、ヘッド８３の重量が周辺部にシフトし、この結果、ヘッド８３全体の慣性モーメントが大きくなって打球の方向性が安定する。
【００３２】
また、既述したように、当接部９５のヘッド本体７１と背面部材８１の当接面が、基準水平面Ｐに対する鉛直断面Ｑに於て、少なくともトップ，ソール，トゥで平行となるように構成され、更に当接部９５との間に隙間１０５が空くように突出部１０３の外周径がヘッド本体７１のバック側周辺部の内周径より小さく設定されているため、ヘッド本体７１と背面部材８１の接合時に両者をスライドさせて製造バラ付きを調整できると共に、幅広な当接部９５を固定部９３の内方に設けたことで、凹部９１内への溶接ビード９９の浸潤が防止されることとなる。
【００３３】
そして、背面部材８１に設けた突出部１０３が、凹部９１内のヘッド本体７１と背面部材８１の接合部境界１０１を全周に亘って覆い、また、仮に凹部９１内へ溶接ビード９９が浸潤しても、突出部１０１が溶接ビード９９を覆って外部から視認できなくする。
従って、本実施形態によれば、
[1]幅広な当接部９５を固定部９３の内方に設けたため、凹部９１内への溶接ビード９９の浸潤が防止でき、この結果、重量バランスが崩れることなく設計に応じた安定したヘッド８３を製造することができる。
【００３４】
[2]背面部材８１に設けた突出部１０３が、凹部９１内のヘッド本体７１と背面部材８１の接合部境界１０１を全周に亘って覆い、また、仮に凹部９１内へ溶接ビード９９が浸潤しても、突出部１０１が溶接ビード９９を覆って外部から視認できなくするため、従来に比し外観が向上することとなった。
尚、上述した各実施形態では、背面部材４７，８１をヘッド本体３１，７１の周辺部に沿ってリング状に形成したが、図１２の背面部材７の如く、ヘッド本体のソール側背面部に取り付く背面部材であってもよい。
【００３５】
また、上述した各実施形態は、固定部５５，９３を溶接して形成したが、溶接に限らず、例えばろう付けや接着によってもよい。
更に、各実施形態の構成を組み合わせることも可能で、例えば、図９乃至図１１の突出部１０３は背面部材８１の全周に亘って突設されているが、斯かる構成に代え、図６の突出部６５と同様、トゥ側からヒール側に亘ってソール側に形成してもよい。
【図面の簡単な説明】
【００３６】
【図１】請求項１乃至請求項３の一実施形態に係るヘッドを装着したアイアンのゴルフクラブの正面図である。
【図２】請求項１乃至請求項３の一実施形態に係るヘッドの正面図である。
【図３】ヘッドの背面図である。
【図４】ヘッドの底面図である。
【図５】ヘッドの分解斜視図である。
【図６】図２のVI−VI線断面図である。
【図７】図２のVII−VII線断面図である。
【図８】図２のVIII−VIII線断面図である。
【図９】請求項１及び請求項３の一実施形態に係るヘッドの正面図である。
【図１０】図９のX−X線断面図である。
【図１１】ヘッドの分解斜視図である。
【図１２】従来のヘッドの背面図である。
【符号の説明】
【００３７】
２１  シャフト
２３  ヘッド
２７  ゴルフクラブ
２９  ソール部
３１  ヘッド本体
３５  トップ部
３７，４５  フェース部
３９  フェース側開口部
４１  受け部
４３  フェースプレート
４７  背面部材
４９  バック側開口部
５１  バック部
５３  凹部
５５  固定部
５７  当接部
５９ａ，５９ｂ  開先部
６１  溶接ビード
６３  接合部境界
６５  突出部
【図１】
2008054985.tif 000003
【図２】
2008054985.tif 000004
【図３】
2008054985.tif 000005
【図４】
2008054985.tif 000006
【図５】
2008054985.tif 000007
【図６】
2008054985.tif 000008
【図７】
2008054985.tif 000009
【図８】
2008054985.tif 000010
【図９】
2008054985.tif 000011
【図１０】
2008054985.tif 000012
【図１１】
2008054985.tif 000013
【図１２】
2008054985.tif 000014